(57)【要約】【課題】処理項目タッチキーが所定時間継続して押下されることにより該処理項目タッチキーの操作が確定したことを明確にユーザに通知することのできるタッチパネル装置及びこれを備えた画像処理装置を提供すること。【解決手段】処理項目タッチキーが選択された後，確定タッチキーが押下されることにより該処理項目タッチキーの操作を確定するタッチパネル装置において，ユーザにより処理項目タッチキーが所定時間継続して押下された場合に（Ｓ２のＹｅｓ側），該処理項目タッチキーの操作を確定し（Ｓ４），確定タッチキーの表示態様を変更する（Ｓ５）ことを特徴とするタッチパネル装置として構成される。【選択図】図３
2008117193.tif 000002
【特許請求の範囲】
【請求項１】
各種の処理項目に対応する処理項目タッチキーと該処理項目タッチキーの操作を確定するための確定タッチキーとを有するタッチパネルと，
ユーザにより前記処理項目タッチキーが選択された後，前記確定タッチキーが押下されることにより該処理項目タッチキーの操作を確定する第１の操作確定処理手段と，
を備えてなるタッチパネル装置であって，
前記処理項目タッチキーが所定時間継続して押下された場合に，該処理項目タッチキーの操作を確定する第２の操作確定処理手段と，
前記第２の操作確定処理手段により前記処理項目タッチキーの操作が確定された場合に，前記確定タッチキーの表示態様を変更する表示態様変更手段と，
を備えてなることを特徴とするタッチパネル装置。
【請求項２】
前記表示態様変更手段が，前記確定タッチキーの表示色を変更するもの，或いは前記確定タッチキーの表示を点滅表示に変更するものである請求項１に記載のタッチパネル装置。
【請求項３】
請求項１又は２のいずれかに記載のタッチパネル装置を備えてなる画像処理装置。
【発明の詳細な説明】
【技術分野】
【０００１】
本発明は，プリンタ装置や複写機などの画像処理装置に操作機器として設けられるタッチパネル装置に関し，特に，各種の処理項目に対応する処理項目タッチキーの操作を確定するための確定タッチキーがタッチパネル上に設けられたタッチパネル装置に関するものである。
【背景技術】
【０００２】
複写機やプリンタ装置，ファクシミリ装置，スキャナ装置，これらの複合機などの画像処理装置に，該画像処理装置に各種の操作入力を行うためのタッチパネル装置が設けられることがある。前記タッチパネル装置のタッチパネルには，前記画像処理装置における各種の処理項目に対応する処理項目タッチキーが設けられている。前記タッチパネル装置は，ユーザによって前記タッチパネル上の処理項目タッチキーが選択されると，その処理項目タッチキーに対応する操作信号を画像処理装置の制御部に出力することにより，該操作信号に対応する処理を実行させる。
従来から，前記タッチパネル装置では，前記処理項目タッチキーを押下する際に，ユーザの指が前記処理項目タッチキーに接触した後，一度離れて再度接触するという所謂２度押しが生じることがある。この２度押しは，ユーザの意図していない処理が実行されることや誤動作の原因となる。
例えば，拡大縮小設定用の処理項目タッチキーを操作する場合に２度押しが生じると，拡大縮小設定用の処理項目タッチキーを操作することにより表示される拡大縮小設定の詳細設定画面において，同じ位置に存在するタッチキーも操作されたことになる場合がある。
一方，例えば特許文献１には，処理項目タッチキーを選択した後，該処理項目タッチキーの操作を確定するための確定キーがタッチパネルの近傍に設けられており，該確定キーが押下されることによって，その処理項目タッチキーの操作が確定される構成が開示されている（特許文献１の段落［００３１］，図７参照）。このような構成では，前記処理項目タッチキーが２度押しされてもユーザの意図していない処理が実行されることはない。
【特許文献１】特開２００３−７６４７６号公報
【発明の開示】
【発明が解決しようとする課題】
【０００３】
しかしながら，ユーザによっては，前述したように前記処理項目タッチキー及び前記確定キーの二つを操作することが煩雑に感じる場合もある。そこで，前記処理項目タッチキーが所定時間継続して押下（いわゆる長押し）された場合にも，その処理項目タッチキーの操作を確定させることが考えられる。
これにより，ユーザは自分の好みで，前記処理項目タッチキー及び前記確定キーの両方を操作するか，前記処理項目タッチキーを長押しするかを選択して行うことができる。但し，前記処理項目タッチキーが長押しされた場合には，その処理項目タッチキーの操作が確定したことをユーザに通知する必要がある。このとき，例えば，ユーザに確定を通知するための音を発することが考えられるが，この場合には，その音が何を意味するかがユーザに伝わらず，前記処理項目タッチキーの操作の確定を明確に認識させることができないことが想定される。
従って，本発明は前記事情に鑑みてなされたものであり，その目的とするところは，処理項目タッチキーが所定時間継続して押下されることにより該処理項目タッチキーの操作が確定したことを明確にユーザに通知することのできるタッチパネル装置及びこれを備えた画像処理装置を提供することにある。
【課題を解決するための手段】
【０００４】
前記目的を達成するために本発明は，各種の処理項目に対応する処理項目タッチキーと該処理項目タッチキーの操作を確定するための確定タッチキーとを有するタッチパネルを備えてなり，ユーザにより前記処理項目タッチキーが選択された後，前記確定タッチキーが押下されることにより該処理項目タッチキーの操作を確定するタッチパネル装置に適用されるものであって，前記処理項目タッチキーが所定時間継続して押下された場合に，該処理項目タッチキーの操作を確定し，前記確定タッチキーの表示態様を変更することを特徴とするタッチパネル装置として構成される。具体的には，前記確定タッチキーの表示色を変更することや，該確定タッチキーの表示を点滅表示に変更すること等が考えられる。
このように構成されたタッチパネル装置では，前記処理項目タッチキーが所定時間継続して押下されることにより該処理項目タッチキーの操作が確定されたことが，前記確定タッチキーの表示態様の変更（表示色の変更や点滅表示）によって視覚的に表示されるため，ユーザは前記処理項目タッチキーの操作の確定を明確に認識することが可能となる。
なお，本発明は，前記タッチパネル装置を備えてなる画像処理装置として捉えてもよい。例えば複写機やプリンタ装置，ファクシミリ装置，スキャナ装置，これらの複合機などが前記画像処理装置に該当する。
【発明の効果】
【０００５】
本発明によれば，前記処理項目タッチキーが所定時間継続して押下されることにより該処理項目タッチキーの操作が確定されたことが，前記確定タッチキーの表示態様の変更（表示色の変更や点滅表示）によって視覚的に表示されるため，ユーザは前記処理項目タッチキーの操作の確定を明確に認識することが可能となる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る複写機Ｘのブロック図，図２は本発明の実施の形態に係るタッチパネル装置４が有するタッチパネル４１の表示例を説明するための図，図３は前記タッチパネル装置４において実行される操作確定処理の手順の一例を説明するためのフローチャートである。
まず，図１のブロック図を用いて，本発明の実施の形態に係る複写機Ｘの概略構成について説明する。なお，前記複写機Ｘは，本発明に係る画像処理装置の一例であって，他に，プリンタ装置やファクシミリ装置，スキャナ装置，これらの複合機なども本発明に係る画像処理装置に該当する。
図１に示すように，前記複写機Ｘは，画像読取部１，画像メモリ２，画像形成部３，タッチパネル装置４，及びこれらを統括的に制御する制御部５を備えて概略構成されている。
前記制御部５は，ＣＰＵ５１やＲＯＭ５２，ＲＡＭ５３等からなり，前記ＣＰＵ５１が前記ＲＯＭ５２に格納された制御プログラムに従った処理を実行することにより当該複写機Ｘを統括的に制御するものである。具体的に，前記制御部５は，前記タッチパネル装置４に対するユーザの操作入力により該タッチパネル装置４から入力される操作信号に従って，当該複写機Ｘにおける複写処理などを実行する。
【０００７】
前記画像読取部１は，不図示の原稿台にセットされた原稿の画像情報を読み取るものであって，ＣＣＤ（Charge Coupled Device）やＣＩＳ（Contact Image Sensor）等のイメージセンサを備えている。前記画像読取部１では，原稿台にセットされた原稿を走査することにより，前記原稿の画像がライン毎に読み取られて，デジタルデータ化される。このように読み取られた画像データは図示しない画像処理部において所定の画像処理（圧縮処理，濃度補正処理等）が実行され，その後，前記制御部５によって前記画像メモリ２に一時的に記憶される。
前記画像メモリ２は，ＥＥＰＲＯＭなどの読み書き可能な不揮発性半導体メモリである。この画像メモリ２には，前記画像読取部１で読み取られた画像データ等が一時的に格納される。また，前記複写機ＸがＬＡＮ等のネットワークを介してパソコン等の情報処理装置と接続可能なものである場合は，その情報処理装置から転送された画像データも前記画像メモリ２に格納される。
前記画像形成部３は，前記画像メモリ２に格納された画像データに応じた可視像（例えばトナー像）を記録紙に転写させて定着させるものであり，感光体ドラム，該感光体ドラムの表面を所定電位に一様に帯電させる帯電装置，前記感光体ドラムの表面を露光走査して静電潜像を形成するＬＳＵ，前記静電潜像にトナーを付着させて現像する現像装置，現像されたトナー画像を記録紙に転写する転写装置，転写されたトナー像を記録紙に定着させる定着装置などの周知の各種装置を備えて構成されている。
【０００８】
前記タッチパネル装置４は，前記複写機Ｘにおける各種の処理項目に関する情報の表示や，その処理項目に関する操作入力が行われるタッチパネル４１と，ＭＰＵやＲＯＭ，ＲＡＭなどの各種の制御機器を有してなり，該タッチパネル装置４を制御するタッチパネル制御部４２と，を備えて構成されている。
前記タッチパネル４１は，画像を表示する液晶パネルなどの表示パネル及び該表示パネルに積層された操作検知パネルを有している。前記表示パネルには，当該複写機Ｘにおける各種の処理項目に対応する処理項目タッチキー画像や，該処理項目タッチキー画像の操作を確定するための確定タッチキー画像などの各種のタッチキー画像が表示される。なお，前記表示パネルの表示は前記タッチパネル制御部４２によって制御される。
前記操作検知パネルは，ユーザによって前記タッチパネル４１上の任意の部位が押下された場合に，その押下部位の座標を検知して前記タッチパネル制御部４２に入力する。
【０００９】
前記タッチパネル制御部４２は，前記タッチパネル４１の操作検知部から入力された押下部位の座標に表示されたタッチキー画像を特定し，該タッチキー画像に対応する操作信号を前記制御部５に出力する。これにより，前記複写機Ｘでは，前記制御部５によって前記操作信号に対応する処理が実行される。
即ち，前記タッチパネル装置４では，前記タッチパネル４１上に，前記複写機Ｘにおける各種の処理項目に関する操作を行なうための処理項目タッチキーや，該処理項目タッチキーの操作を確定するための確定タッチキーが具現されている。
ここに，図２は，前記タッチパネル装置４のタッチパネル４１の表示例を示すものである。図２に示すように，前記タッチパネル４１には，両面／分割，原稿の画質，原稿サイズ選択など，各種の処理項目に関する処理項目タッチキー４０１と，該処理項目タッチキー４０１の操作を確定するための確定タッチキー４０２が具現されている。
【００１０】
前記タッチパネル装置４では，ユーザにより前記タッチパネル４１の前記処理項目タッチキー４０１のいずれかが選択された後，前記確定タッチキー４０２が押下された場合に，前記タッチパネル制御部４２が前記処理項目タッチキー４０１の操作を確定し，該処理項目タッチー４０１に対応する処理項目の操作信号を前記複写機Ｘの制御部５に出力する。このように，前記処理項目タッチキー４０１及び前記確定タッチキー４０２の２段階操作を要することにより，２度押しによる意図しない処理の実行や誤動作などの不具合を防止することができる。ここに，かかる処理を実行するときの前記タッチパネル制御部４２が，第１の確定処理手段に相当する。
このとき，前記確定タッチキー４０２が押下された場合に，該確定タッチキー４０２の表示色を変更するように構成しておくことにより，ユーザは前記確定タッチキー４０２の押下が受け付けられたこと，即ち前記処理項目タッチキー４０１の操作が確定したことを確認することができる（図２（ｂ）参照）。
【００１１】
さらに，前記タッチパネル制御部４２は，前記処理項目タッチキー４０１が所定時間継続して押下された場合にも，該処理項目タッチキー４０１の操作を確定し，該処理項目タッチー４０１に対応する処理項目の操作信号を前記複写機Ｘの制御部５に出力する。この場合には，押下状態が所定時間継続されることが条件となるため，２度押しによる意図しない処理の実行や誤動作などの不具合を防止することができる。ここに，かかる処理を実行するときの前記タッチパネル制御部４２が，第２の確定処理手段に相当する。
この場合にも，前記処理項目タッチキー４０１が所定時間継続して押下されたことにより，該処理項目タッチキー４０１の操作が確定されたことをユーザに通知する必要がある。一般に，前記処理項目タッチキー４０１の操作が確定された場合に，ユーザにその確定を通知するための音を発することが考えられる。但し，前述したように，音を発するだけではその音が前記処理項目タッチキー４０１の操作の確定を通知するものであることをユーザに明確に認識させることができないことが想定される。
【００１２】
しかし，本発明の実施の形態に係る前記タッチパネル装置４では，前記タッチパネル制御部４２によって実行される後述の操作確定処理（図３のフローチャート参照）において，前記処理項目タッチキー４０１が所定時間継続して押下されて該処理項目タッチー４０１の操作が確定された場合に，その確定が視覚的にユーザに通知されるため，ユーザはその確定を明確に認識することができる。
以下，図２を参照しつつ，図３のフローチャートに従って，前記タッチパネル制御部４２によって実行される操作確定処理の手順の一例について説明する。なお，図中のＳ１，Ｓ２，…は処理手順（ステップ）の番号を表している。
また，前述したように，当該操作確定処理が実行されることにより前記処理項目タッチキー４０１の操作が確定されると，該処理項目タッチキー４０１に対応する操作信号が，前記タッチパネル制御部４２から前記複写機Ｘの制御部５に入力されることにより，前記制御部５で前記操作信号に従った処理が実行される。
【００１３】
まず，当該操作確定処理のステップＳ１では，前記タッチパネル制御部４２によって，前記処理項目タッチキー４０１のいずれかが選択されたか否かが判断される。ここで，前記処理項目タッチキー４０１が選択されたと判断されると（Ｓ１のＹｅｓ側），処理はステップＳ２に移行する。なお，既に前記処理項目タッチキー４０１のいずれかが選択された状態である場合にも処理はステップＳ２に移行する。ここでは，ユーザによって両面／分割の処理項目タッチキー４０１が選択されたと仮定する。したがって，処理はステップＳ２に移行する。
なお，ここで選択された前記処理項目タッチキー４０１の表示色は，この時点で反転されるが，この状態では，まだ前記処理項目タッチキー４０１の操作は確定されていない。
【００１４】
そして，ステップＳ２では，前記タッチパネル制御部４２によって，前記処理項目タッチキー４０１が所定時間継続されて押下されたか否かが判断される。ここで，前記処理項目タッチキー４０１の押下が所定時間継続されていないと判断されると（Ｓ２のＮｏ側），処理はステップＳ３に移行し，所定時間継続されたと判断されると（Ｓ２のＹｅｓ側），処理はステップＳ４に移行する。
【００１５】
ステップＳ３では，前記タッチパネル制御部４２によって，前記確定タッチキー４０２が押下されたか否かが判断される。ここで，前記確定タッチキー４０２が押下されていないと判断された場合には（Ｓ３のＮｏ側），処理は前記ステップＳ１に戻され，押下されたと判断された場合には（Ｓ３のＹｅｓ側），処理はステップＳ４に移行する。
【００１６】
ステップＳ４では，前記タッチパネル制御部４２によって，前記ステップＳ１で選択されていた前記処理項目タッチキー４０１，ここでは両面／分割の処理項目タッチキー４０１の操作が確定される。
そして，ステップＳ５では，前記タッチパネル制御部４２によって，前記確定タッチキー４０２の表示色が変更される（図２（ａ）→図２（ｂ））。ここに，かかる処理を実行するときの前記タッチパネル制御部４２が表示態様変更手段に相当する。
具体的には，前記確定タッチキー４０２の表示色が反転される。なお，前記タッチパネル４１がカラー表示可能なものであれば，前記確定タッチキー４０２の表示色を他の色（赤色など）に変更してもよい。また，前記確定タッチキー４０２を点滅表示に変更することなども他の実施例として考えられる。要するに，前記確定タッチキー４０２の表示態様を変更することによって，ユーザに視覚的に確定を表示するものであればよい。なお，前記確定タッチキー４０２の表示色の変更は，別の表示画面に移行した際や，所定の時間経過後に復帰させればよい。
【００１７】
このように，前記タッチパネル装置４では，前記確定タッチキー４０２が押下されて前記処理項目タッチキー４０１の操作が確定された場合だけではなく，前記処理項目タッチキー４０１が所定時間継続して押下（いわゆる長押し）されて前記処理項目タッチキー４０１の操作が確定された場合にも，前記確定タッチキー４０２の表示色が変更されることにより，視覚的に前記処理項目タッチキー４０１の操作が確定したことが表示される。
したがって，ユーザは，前記処理項目タッチキー４０１が所定時間継続して押下した場合，前記確定タッチキー４０２の表示色の変更を確認することによって，その処理項目タッチキー４０１の操作が確定したことを明確に認識することができる。もちろん，前記確定タッチキー４０２の表示色の変更と同時に，確定を通知するための音を発してもかまわない。
【図面の簡単な説明】
【００１８】
【図１】本発明の実施の形態に係る複写機のブロック図。
【図２】本発明の実施の形態に係るタッチパネル装置が有するタッチパネルの表示例を説明するための図。
【図３】本発明の実施の形態に係るタッチパネル装置において実行される操作確定処理の手順の一例を説明するためのフローチャート。
【符号の説明】
【００１９】
１…画像読取部
２…画像メモリ
３…画像形成部
４…タッチパネル装置
４１…タッチパネル
４２…タッチパネル制御部
５…制御部
５１…ＣＰＵ
５２…ＲＯＭ
５２…ＲＡＭ
４０１…処理項目タッチキー
４０２…確定タッチキー
Ｓ１，Ｓ２，〜…処理手順（ステップ）番号
【図１】
2008117193.tif 000003
【図２】
2008117193.tif 000004
【図３】
2008117193.tif 000005